【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
印刷装置であって、
白紙ページの印刷を行うか否かを示す第１の設定データを保持する第１の保持手段と、
中差しページの出力を行うか否かを示す第２の設定データを保持する第２の保持手段と、
前記第１，２の保持手段が保持する設定データに従って印刷対象ページ、中差しページの印刷出力を行う印刷手段とを備え、
前記印刷手段は、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後に出力する中差しページが共に白紙ページである場合には、
当該印刷対象ページ、当該中差しページの印刷出力を行わないことを特徴とする印刷装置。
【請求項２】
前記印刷手段は更に、
前記第１の設定データによる設定が白紙ページの印刷は行わないことを示し、且つ前記第２の設定データによる設定が中差しページの出力を行うことを示す場合で、
印刷対象ページが白紙ページであってかつ全ての中差しページに対する印刷内容が同じである場合には、
当該印刷対象ページ、当該全ての中差しページの印刷出力を行わないことを特徴とする請求項１に記載の印刷装置。
【請求項３】
情報処理装置であって、
白紙ページの印刷を行うか否かを示す第１の設定データを保持する第１の保持手段と、
中差しページの出力を行うか否かを示す第２の設定データを保持する第２の保持手段と、
前記第１，２の保持手段が保持する設定データに従って印刷対象ページ、中差しページの印刷装置への出力を制御する制御手段とを備え、
前記制御手段は、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの前記印刷装置への出力を行わないことを特徴とする情報処理装置。
【請求項４】
印刷装置の制御方法であって、
白紙ページの印刷を行うか否かを示す第１の設定データを第１の保持手段に保持させる第１の保持工程と、
中差しページの出力を行うか否かを示す第２の設定データを第２の保持手段に保持させる第２の保持工程と、
前記第１，２の保持工程で保持させた設定データに従って印刷対象ページ、中差しページの印刷出力を行う印刷工程とを備え、
前記印刷工程では、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの印刷出力を行わないことを特徴とする印刷装置の制御方法。
【請求項５】
情報処理装置の制御方法であって、
白紙ページの印刷を行うか否かを示す第１の設定データを第１の保持手段に保持させる第１の保持工程と、
中差しページの出力を行うか否かを示す第２の設定データを第２の保持手段に保持させる第２の保持工程と、
前記第１，２の保持工程で保持させた設定データに従って印刷対象ページ、中差しページの印刷装置への出力を制御する制御工程とを備え、
前記制御工程では、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの前記印刷装置への出力を行わないことを特徴とする情報処理装置の制御方法。
【請求項６】
コンピュータに請求項５に記載の制御方法を実行させる為のプログラム。
【請求項７】
請求項６に記載のプログラムを格納したことを特徴とする、コンピュータ読み取り可能な記憶媒体。
【手続補正２】
【補正対象書類名】明細書
【補正対象項目名】０００９
【補正方法】変更
【補正の内容】
【０００９】
即ち、印刷装置であって、
白紙ページの印刷を行うか否かを示す第１の設定データを保持する第１の保持手段と、
中差しページの出力を行うか否かを示す第２の設定データを保持する第２の保持手段と、
前記第１，２の保持手段が保持する設定データに従って印刷対象ページ、中差しページの印刷出力を行う印刷手段とを備え、
前記印刷手段は、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後に出力する中差しページが共に白紙ページである場合には、
当該印刷対象ページ、当該中差しページの印刷出力を行わないことを特徴とする。
【手続補正３】
【補正対象書類名】明細書
【補正対象項目名】００１１
【補正方法】変更
【補正の内容】
【００１１】
即ち、情報処理装置であって、
白紙ページの印刷を行うか否かを示す第１の設定データを保持する第１の保持手段と、
中差しページの出力を行うか否かを示す第２の設定データを保持する第２の保持手段と、
前記第１，２の保持手段が保持する設定データに従って印刷対象ページ、中差しページの印刷装置への出力を制御する制御手段とを備え、
前記制御手段は、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの前記印刷装置への出力を行わないことを特徴とする。
【手続補正４】
【補正対象書類名】明細書
【補正対象項目名】００１３
【補正方法】変更
【補正の内容】
【００１３】
即ち、印刷装置の制御方法であって、
白紙ページの印刷を行うか否かを示す第１の設定データを第１の保持手段に保持させる第１の保持工程と、
中差しページの出力を行うか否かを示す第２の設定データを第２の保持手段に保持させる第２の保持工程と、
前記第１，２の保持工程で保持させた設定データに従って印刷対象ページ、中差しページの印刷出力を行う印刷工程とを備え、
前記印刷工程では、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの印刷出力を行わないことを特徴とする。
【手続補正５】
【補正対象書類名】明細書
【補正対象項目名】００１５
【補正方法】変更
【補正の内容】
【００１５】
即ち、情報処理装置の制御方法であって、
白紙ページの印刷を行うか否かを示す第１の設定データを第１の保持手段に保持させる第１の保持工程と、
中差しページの出力を行うか否かを示す第２の設定データを第２の保持手段に保持させる第２の保持工程と、
前記第１，２の保持工程で保持させた設定データに従って印刷対象ページ、中差しページの印刷装置への出力を制御する制御工程とを備え、
前記制御工程では、
前記第１の設定データによる設定が白紙ページの印刷は行わないことを示し、且つ前記第２の設定データによる設定が中差しページの出力を行うことを示す場合で、
印刷対象ページと、当該印刷対象ページの前または後ろに出力する中差しページが共に白紙ページである場合には、
当該印刷対象ページ、当該中差しページの前記印刷装置への出力を行わないことを特徴とする。